(57)【要約】【課題】  ＷＰＡＮにリンクされたデバイスがブロードキャストされる情報の受信を保障し、全通信システムの通信効率を向上させることのできる無線ネットワークにおけるブロードキャスト方法及びその方法を使用する通信システムを提供する。【解決手段】  本ブロードキャスト方法は、複数のデバイスが接続され、複数のデバイスの中で選ばれたコーディネータからブロードキャストされる同期信号により同期化される無線ネットワークにおいて、使用しているチャネル及びＰＡＮ  ＩＤのいずれかに変更の必要があるかを検査するステップと、検査結果、チャネル及びＰＡＮ  ＩＤのいずれかに変更の必要がある場合、これらのいずれか１つの変更のための変更情報を同期信号に挿入してブロードキャストするステップと、を含む。【選択図】     図６
2005136984.tif 000002
【特許請求の範囲】
【請求項１】
複数のデバイスが接続され、前記複数のデバイスの中で選ばれたコーディネータからブロードキャストされる同期信号により同期化される無線ネットワークにおけるブロードキャスト方法において、
前記無線ネットワークで使用しているチャネル及びＰＡＮ  ＩＤのいずれかに変更の必要があるかを検査するステップと、
前記検査するステップの検査結果、前記チャネル及びＰＡＮ  ＩＤのいずれかに変更の必要がある場合、前記チャネル及びＰＡＮ  ＩＤのいずれか１つの変更のための変更情報を前記同期信号に挿入してブロードキャストするステップと、
を含むことを特徴とするブロードキャスト方法。
【請求項２】
前記デバイスが前記同期信号に挿入された前記変更情報に基づいて、前記チャネル及びＰＡＮ  ＩＤのいずれか１つを変更するステップを更に含むことを特徴とする請求項１に記載のブロードキャスト方法。
【請求項３】
前記無線ネットワークは、ＩＥＥＥ８０２.１５.４標準仕様による低速ＷＰＡＮ（Ｗｉｒｅｌｅｓｓ  Ｐｅｒｓｏａｎｌ  Ａｒｅａ  Ｎｅｔｗｏｒｋ）であることを特徴とする請求項２に記載のブロードキャスト方法。
【請求項４】
前記同期信号は、ビーコンフレームであることを特徴とする請求項３に記載のブロードキャスト方法。
【請求項５】
前記変更情報は、前記ビーコンフレーム内のペイロードフィールドに挿入されるコーディネータ再整列コマンド及びフレーム制御フィールドの予約ビットに挿入される所定の識別ビットを含むことを特徴とする請求項４に記載のブロードキャスト方法。
【請求項６】
前記ＰＡＮ  ＩＤの変更の有無は、前記複数のデバイスのいずれか１つから伝送されるＰＡＮ  ＩＤ衝突コマンドに基づいて判断されることを特徴とする請求項３に記載のブロードキャスト方法。
【請求項７】
無線ネットワークに接続される少なくとも１つのデバイスと、
前記デバイスに同期信号をブロードキャストして同期化させるコーディネータと、を含み、
前記コーディネータは、無線ネットワークで使用しているチャネル及びＰＡＮ  ＩＤのいずれかに変更の必要があるかを検査し、変更が必要な場合は、前記デバイスが前記チャネル及びＰＡＮ  ＩＤのいずれかの変更のための変更情報を前記同期信号に挿入してブロードキャストすることを特徴とする通信システム。
【請求項８】
前記コーディネータは、
前記デバイスとの通信インタフェースを提供する送受信部と、
前記チャネルの変更が必要であるかを検査して対応される信号を出力するチャネル状態通知部と、
前記チャネル状態通知部から出力される信号に応じて前記チャネルの変更情報を出力するチャネル選択管理部と、
前記ＰＡＮ  ＩＤの変更が必要であるかを検査し、変更が必要な場合に前記ＰＡＮ  ＩＤの変更情報を出力するＰＡＮ  ＩＤ変更通知部と、
前記チャネル選択管理部及び前記ＰＡＮ  ＩＤ変更通知部から出力される前記変更信号を前記同期信号に挿入し、前記送受信部を介して前記デバイスにブロードキャストするビーコンフレーム生成部と、
を含むことを特徴とする請求項７に記載の通信システム。
【請求項９】
前記デバイスは、
前記コーディネータとの通信インタフェースを提供する送受信部と、
前記同期信号に挿入された前記変更情報を抽出するビーコンフレーム解釈部と、
抽出された前記変更情報に応じて前記チャネルを変更するチャネル変更部と、
抽出された前記変更情報に応じて前記ＰＡＮ  ＩＤを変更するＰＡＮ  ＩＤ変更部と、
を含むことを特徴とする請求項７に記載の通信システム。
【請求項１０】
前記無線ネットワークは、ＩＥＥＥ８０２.１５.４標準仕様による低速ＷＰＡＮであることを特徴とする請求項７に記載の無線通信システム。
【請求項１１】
前記同期信号はビーコンフレームであることを特徴とする請求項１０に記載の通信システム。
【請求項１２】
前記変更情報は、前記ビーコンフレームのペイロードフィールドに挿入されるコーディネータ再整列コマンド及びフレーム制御フィールドの予約ビットに挿入される所定の識別ビットを含むことを特徴とする請求項１１に記載の通信システム。
【請求項１３】
前記ＰＡＮ  ＩＤの変更の有無は、前記複数のデバイスのいずれか１つから伝送されるＰＡＮ  ＩＤ衝突コマンドに基づいて判断されることを特徴とする請求項７に記載の通信システム。
【発明の詳細な説明】
【技術分野】
【０００１】
本発明は、無線ネットワークにおけるブロードキャスト（Ｂｒｏａｄｃａｓｔ）方法及びその方法を用いる通信システムに関し、より詳しくは、ＩＥＥＥ８０２.１５.４標準仕様に基づいたＷＰＡＮ（Ｗｉｒｅｌｅｓｓ  Ｐｅｒｓｏｎａｌ  Ａｒｅａ  Ｎｅｔｗｏｒｋ：無線個人領域ネットワーク）にリンクされたデバイスがブロードキャストされる情報の受信を保障できるようにした無線ネットワークにおけるブロードキャスト方法及びその方法を使用する通信システムに関する。
【背景技術】
【０００２】
個人領域ネットワークと呼ばれるＰＡＮ（Ｐｅｒｓｏｎａｌ  Ａｒｅａ  Ｎｅｔｗｏｒｋ）は、公衆通信回線である近距離通信網（ＬＡＮ）や遠距離通信網（ＷＡＮ）と正反対の概念であって、個人が固有のネットワークを有していることを意味する。即ち、一人が所有しているデバイス（Ｄｅｖｉｃｅ）がそれぞれの人の便宜を目的にして１つのネットワークを構成するものである。ＷＰＡＮ（Ｗｉｒｅｌｅｓｓ  Ｐｅｒｓｏｎａｌ  Ａｒｅａ  Ｎｅｔｗｏｒｋ：無線個人領域ネットワーク）はこのようなＰＡＮを無線で実現する概念である。
【０００３】
ＰＡＮを無線で実現するための標準仕様の規格化の動きとして、ＩＥＥＥ８０２.１５ワーキンググループ（Ｗｏｒｋｉｎｇ  Ｇｒｏｕｐ）は、近距離無線ネットワークの標準仕様としてＷＰＡＮを定め、更にその下の４つのＴＧ（Ｔａｓｋ  Ｇｒｏｕｐ）が詳細の策定作業をしている。ＩＥＥＥ８０２.１５.１は有名なブルートゥース（Ｂｌｕｅｔｏｏｔｈ（商標登録））の規格であり、ＩＥＥＥ８０２.１５.３及びＩＥＥＥ８０２.１５.３ａは高速（ｈｉｇｈ  ｒａｔｅ）ＷＰＡＮ、そしてＺｉｇｂｅｅと呼ばれるＩＥＥＥ８０２.１５.４は２５０Ｋｂｐｓ以下の低速（ｌｏｗ  ｒａｔｅ）ＷＰＡＮに対する標準化作業を行なっている。
【０００４】
図１は、一般のＷＰＡＮの構成を示した図である。同図を参照すると、複数のデバイス１０ないし１８が１つのネットワークを構成しており、複数のデバイス１０ないし１８のいずれか１つがコーディネータ（Ｃｏｏｒｄｉｎａｔｏｒ：ＩＥＥＥ８０２．１５．４の定義による）１０として選ばれる。コーディネータ１０は残りデバイス１２、１４、１６、１８に同期信号であるビーコンフレーム（Ｂｅａｃｏｎ  Ｆｒａｍｅ）をブロードキャストし、ＷＰＡＮにリンクされたデバイス１２、１４、１６、１８を同期化させる。ところで、係るＷＰＡＮは隣接した他のネットワークと通信エリア（Ａｒｅａ：領域）が一部重なって互いに干渉を生じる場合がある。
【０００５】
図２には近接した２つのＷＰＡＮにおいて一部で通信エリアが重なり合った場合を示した。同図を参照すると、コーディネータＡ２０によって同期化される第１のＷＰＡＮ４０と、コーディネータＢ３０によって同期化される第２のＷＰＡＮ５０とが隣接した位置に存し、一部で通信エリアが重なり合っている。この場合、第１及び第２のＷＰＡＮ４０、５０で使用するチャネルの周波数が重複したり、あるいは使用するＰＡＮ  ＩＤが同一である場合、重複する通信エリアに存するデバイス２８、３６は円滑な通信が行なえない。従って、コーディネータは使用中であるチャネルやＰＡＮ  ＩＤを変更しなければならない。
【０００６】
現行のＩＥＥＥ８０２.１５.４標準仕様によると、１つのＷＰＡＮで使用しているＰＡＮ  ＩＤが他のＷＰＡＮで使用されているＰＡＮ  ＩＤと同一である場合、これを認識したデバイスからコーディネータに、図３に示したような構成を有するＰＡＮ  ＩＤ衝突通報コマンド（ＰＡＮ  ＩＤ  Ｃｏｎｆｌｉｃｔ  Ｎｏｔｉｆｉｃａｔｉｏｎ  Ｃｏｍｍａｎｄ）が伝送される。コーディネータは受信されたＰＡＮ  ＩＤ衝突通報コマンドに対応して、コーディネータ再整列コマンド（Ｃｏｏｒｄｉｎａｔｏｒ  Ｒｅ−ａｌｉｇｎｍｅｎｔ  Ｃｏｍｍａｎｄ）をデバイスにブロードキャストしてＰＡＮ  ＩＤを変更させる。同様に、現在に使用中であるチャネルを変更する場合にもコーディネータからデバイスにコーディネータ再整列コマンドがブロードキャストされ使用中であるチャネルを他のチャネルに変更するようにする。
【０００７】
しかし、全てのデバイスがコーディネータからブロードキャストされるコーディネータ再整列コマンドを受信できるＲＸ＿ＯＮ状態（受信可能状態）であるとは保障できないので、一部のデバイスはコーディネータからブロードキャストされるコーディネータ再整列コマンドを受信できない場合も発生する。これによって、コーディネータ再整列コマンドを受信しなかったデバイスは、チャネルやＰＡＮ  ＩＤが変更されたことを知らないため、他のデバイスとの通信が行なえない孤立（Ｏｒｐｈａｎ）状態になる。このような孤立状態から抜け出すためには該当デバイスは同期化過程及びＯｒｐｈａｎ  Ｓｃａｎ過程を経なければならない。次式は同期化過程及びＯｒｐｈａｎ  Ｓｃａｎ過程に必要とされるオーバーヘッド（Ｏｖｅｒｈｅａｄ）時間を示している。
【０００８】
同期化ごとのオーバーヘッド時間
＝シンボル期間  ×  ベーススーパーフレーム数  ×（２BO＋１）
×  最大消失ビーコン数
＝１６マイクロ秒  ×  （９６０  ×  （２BO＋１））  ×  ４      ―――（１）
【０００９】
なお、ＢＯ（Ｂｅａｃｏｎ  Ｏｒｄｅｒ）はコーディネータが最初にネットワークを構成する際に設定された値であって、ビーコン間隔の時間を決める。その場合、０≦ＢＯ≦１４になる。そしてＯｒｐｈａｎ  Ｓｃａｎに所要されるオーバーヘッド時間は次式の通りである。
【００１０】
Ｏｒｐｈａｎ  Ｓｃａｎごとのオーバーヘッド時間
＝応答待ち時間  ×  スキャンチャネルの数
＝３０７２０シンボル数  ×  １６マイクロ秒／シンボル  ×  スキャンチャネルの数
―――（２）
【００１１】
なお、１≦スキャンチャネルの数≦１６、である。
【００１２】
数式（１）及び数式（２）から分かるように、同期化過程で所要される時間はビーコンフレームの長さに応じて０.１２秒〜１００６秒程度のオーバーヘッド時間が必要とされる。Ｏｒｐｈａｎ  Ｓｃａｎ過程ではスキャンチャネルの数に応じて４９２ｍｓ〜７８７２ｍｓ程度のオーバーヘッド時間が所要されることが分かる。従って、孤立状態にあるデバイスが同期化過程及びＯｒｐｈａｎ  Ｓｃａｎ過程で所要されるオーバーヘッド時間は全体通信システムの通信効率を低下させてしまうのである。よって、ＷＰＡＮにリンクされたデバイスが孤立状態にならないようにブロードキャストされる情報の受信を保障できる方法が求められるようになった。
【発明の開示】
【発明が解決しようとする課題】
【００１３】
本発明は前述した問題点を解決するために案出されたもので、本発明の目的は、ＷＰＡＮにリンクされたデバイスがブロードキャストされる情報の受信を保障するようにし、全体通信システムの通信効率を向上させることのできる無線ネットワークにおけるブロードキャスト方法及びその方法を使用する通信システムを提供することにある。
【課題を解決するための手段】
【００１４】
前記目的を達成するための本発明に係る無線ネットワークにおけるブロードキャスト方法は、複数のデバイスが接続され、前記複数のデバイスの中で選ばれたコーディネータからブロードキャストされる同期信号により同期化される無線ネットワークにおいて、前記無線ネットワークで使用しているチャネル及びＰＡＮ  ＩＤのいずれに変更の必要があるかを検査するステップと、前記検査するステップの検査結果、前記チャネル及びＰＡＮ  ＩＤのいずれかに変更の必要がある場合、前記チャネル及びＰＡＮ  ＩＤのいずれか１つの変更のための変更情報を前記同期信号に挿入してブロードキャストするステップと、を含む。好ましくは、前記デバイスが前記同期信号に挿入された前記変更情報に基づいて、前記チャネル及びＰＡＮ  ＩＤのいずれか１つを変更するステップを更に含んでいる。
【００１５】
前記無線ネットワークは、ＩＥＥＥ８０２.１５.４標準仕様による低速ＷＰＡＮであることが好ましく、前記同期信号は、ビーコンフレームを使用することが好ましい。この際、前記変更情報は、前記ビーコンフレーム内のペイロードフィールドに挿入されるコーディネータ再整列コマンド及びフレーム制御フィールドの予約ビットに挿入される所定の識別ビットを含むことができる。そして、前記ＰＡＮ  ＩＤの変更の有無は、前記複数のデバイスのいずれか１つから伝送されるＰＡＮ  ＩＤ衝突コマンドに基づいて判断できる。
【００１６】
一方、本発明に係るブロードキャスト方法を使用する通信システムは、無線ネットワークに接続される少なくとも１つのデバイスと、前記デバイスに同期信号をブロードキャストして同期化させるコーディネータと、を含み、前記コーディネータは、無線ネットワークで使用しているチャネル及びＰＡＮ  ＩＤのいずれかに変更の必要があるかを検査し、変更が必要な場合は、前記デバイスが前記チャネル及びＰＡＮ  ＩＤのいずれかの変更のための変更情報を前記同期信号に挿入してブロードキャストすることを特徴とする。
【００１７】
前記コーディネータは、前記デバイスとの通信インタフェースを提供する送受信部と、前記チャネルの変更が必要であるかを検査して対応される信号を出力するチャネル状態通知部と、前記チャネル状態通知部から出力される信号に応じて前記チャネルの変更情報を出力するチャネル選択管理部と、前記ＰＡＮ  ＩＤの変更が必要であるかを検査し、変更が必要な場合に前記ＰＡＮ  ＩＤの変更情報を出力するＰＡＮ  ＩＤ変更通知部と、前記チャネル選択管理部及び前記ＰＡＮ  ＩＤ変更通知部から出力される前記変更信号を前記同期信号に挿入し、前記送受信部を介して前記デバイスにブロードキャストするビーコンフレーム生成部と、を含む。
【００１８】
前記デバイスは、前記コーディネータとの通信インタフェースを提供する送受信部と、前記同期信号に挿入された前記変更情報を抽出するビーコンフレーム解釈部と、抽出された前記変更情報に応じて前記チャネルを変更するチャネル変更部と、抽出された前記変更情報に応じて前記ＰＡＮ  ＩＤを変更するＰＡＮ  ＩＤ変更部と、を含む。
【００１９】
前記無線ネットワークは、ＩＥＥＥ８０２.１５.４標準仕様による低速ＷＰＡＮであることが好ましく、前記同期信号はビーコンフレームであることガ好ましい。この際、前記変更情報は、前記ビーコンフレームのペイロードフィールドに挿入されるコーディネータ再整列コマンド及びフレーム制御フィールドの予約ビットに挿入される所定の識別ビットを含む。そして、前記ＰＡＮ  ＩＤの変更の有無は、前記複数のデバイスのいずれか１つから伝送されるＰＡＮ  ＩＤ衝突コマンドに基づいて判断されることができる。
【発明の効果】
【００２０】
本発明によると、ビーコンフレームにチャネルやＰＡＮ  ＩＤ変更情報を挿入してデバイスにブロードキャストすることにより、デバイスチャネルやＰＡＮ  ＩＤ変更情報を受信されず孤立状態になることを抑えることができる。従って、再同期化やＯｒｐｈａｎ  Ｓｃａｎのためのオーバーヘッド時間の発生を防止することで、全体的な通信効率を向上させ得る。
【発明を実施するための最良の形態】
【００２１】
以下、添付の図面を参照して本発明の好適な実施形態を詳述する。
【実施例】
【００２２】
本発明に係る無線ネットワークにおけるブロードキャスト方法は、基本的にＩＥＥＥ８０２.１５.４標準仕様に基づいたＷＰＡＮ環境に適用されるが、必ずしもそれに限られるものではなく、本発明に係る条件を満たすほかの無線ネットワーク環境にても適用可能である。
【００２３】
図４及び図５は、本発明に係るブロードキャスト方法を用いる通信システムの概略的なブロック図である。図４はコーディネータの役割を行なう無線通信装置の概略的なブロック図であり、図５はデバイスの役割を行う無線通信装置の概略的なブロック図である。図４を参照すると、コーディネータの役割を行なう無線通信装置１００は送受信部１１０、チャネル状態通知部１２０、チャネル選択管理部１３０、ＰＡＮ  ＩＤ変更通知部１４０、及びビーコンフレーム生成部１５０を含む。
【００２４】
送受信部１１０は、外部通信装置との通信インタフェースを提供する。チャネル状態通知部１２０は現在使用中であるチャネルの状態を把握し、チャネル変更が必要な場合これをチャネル選択管理部１３０に通報する。チャネル選択管理部１３０はチャネル状態通知部１２０の通報に従って新しく使用するチャネルを選択し、これに対する情報をビーコンフレーム生成部１５０に伝達する。
【００２５】
ＰＡＮ  ＩＤ変更通知部１４０は、無線ネットワークにリンクされたデバイスからＰＡＮ  ＩＤ衝突通報コマンドが伝送される場合、これを解釈してＰＡＮ  ＩＤを変更し、これに対する情報をビーコンフレーム生成部１５０に伝達する。
【００２６】
ビーコン生成部１５０は、チャネル選択管理部１３０やＰＡＮ  ＩＤ変更通知部１４０から伝達された情報を参照して、チャネルやＰＡＮ  ＩＤに対する変更情報を挿入したビーコンフレームを生成し、生成されたビーコンフレームは送受信部１１０を介して無線ネットワークにリンクされたデバイスにブロードキャストする。
【００２７】
図５を参照すると、デバイスの役割を行なう無線通信装置２００は、送受信部２１０、ビーコンフレーム解釈部２２０、チャネル変更部２３０、及びＰＡＮ  ＩＤ変更部２４０を含んでいる。
【００２８】
送受信部１２０は、外部通信装置との通信インタフェースを提供する。ビーコンフレーム解釈部２２０は、コーディネータからブロードキャストされるビーコンフレームを解釈してチャネルやＰＡＮ  ＩＤに対する変更情報が含まれている場合、これを抽出してチャネル変更部２３０やＰＡＮ  ＩＤ変更部２４０に伝達する。チャネル変更部２３０は、ビーコンフレーム解釈部２２０から伝達される変更情報を参照して新しく使用すべきチャネルを設定する。同様な方式で、ＰＡＮ  ＩＤ変更部２４０ビーコンフレーム解釈部２２０から伝達される変更情報を参照しＰＡＮ  ＩＤを変更する。
【００２９】
図６は、本発明に係る無線ネットワークのブロードキャスト方法を説明するための流れ図である。図４ないし図６を参照すると、コーディネータの役割を行なう無線通信装置１００は、隣接した他のネットワークとの干渉などでチャネル状態が著しく低下され、他のチャネルへの変更が必要であるかを検査する（Ｓ３００）。チャネル変更が不要な場合（Ｓ３００、Ｎ）には、デバイスから伝達されるＰＡＮ  ＩＤ衝突通報コマンドがあるかを検査し、使用中であるＰＡＮ  ＩＤを変更すべきかを検査する（Ｓ３１０）。ＰＡＮ  ＩＤの変更も要らない場合（Ｓ３１０、Ｎ）には一般の手続きを行う（Ｓ３３０）。
【００３０】
もし、Ｓ３００やＳ３１０の検査結果、チャネルやＰＡＮ  ＩＤに対する変更が必要な場合（Ｓ３１０、Ｙ）には、チャネルやＰＡＮ  ＩＤに対する変更情報をビーコンフレームに挿入してブロードキャストし（Ｓ３２０）、一般の通信手続きを行う（Ｓ３３０）。同期信号であるビーコンフレームがブロードキャストされる時点は、全デバイスがコーディネータからブロードキャストされる情報を受信できる状態であるので、ブロードキャストフレーム（Ｂｒｏａｄｃａｓｔ  Ｆｒａｍｅ）にチャネルやＰＡＮ  ＩＤに対する変更情報を挿入すると、デバイスがこのような変更情報を受信することができなくなり、孤立状態になることを防止できる。
【００３１】
図７は本発明に係る無線ネットワークのブロードキャスト方法において使用されるビーコンフレームの構成を示した図である。同図を参照すると、ビーコンフレームは、フレーム制御（Ｆｒａｍｅ  Ｃｏｎｔｒｏｌ）フィールド、シーケンスナンバー（Ｓｅｑｕｅｎｃｅ  Ｎｕｍｂｅｒ）フィールド、アドレス（Ａｄｄｒｅｓｓ）フィールド、スーパーフレームスペック（Ｓｕｐｅｒｆｒａｍｅ  Ｓｐｅｃｉｆｉｃａｔｉｏｎ）フィールド、ＧＴＳフィールド、ペンディングアドレス（Ｐｅｎｄｉｎｇ  Ａｄｄｒｅｓｓ）フィールド、ビーコンペイロード（Ｂｅａｃｏｎ  Ｐａｙｌｏａｄ）フィールド及び、フレームチェックシーケンス（Ｆｒａｍｅ  Ｃｈｅｃｋ  Ｓｅｑｕｅｎｃｅ：ＦＣＳ）フィールドを含む。図７に示したように、コーディネータの役割を行なう無線通信装置１００からブロードキャストされるビーコンフレームは基本的にＩＥＥＥ８０２.１５.４標準仕様である。但し、ペイロードにコーディネータ再整列コマンド（Ｃｏｏｒｄｉｎａｔｏｒ  Ｒｅａｌｉｇｎｍｅｎｔ  Ｃｏｍｍａｎｄ）が挿入され、ビーコンフレーム内のフレーム制御フィールドで予備ビット（Ｒｅｓｅｒｖｅｄ）に割当てられた１２−１３ビットに識別ビットが含まれているところのみが違う。即ち、１２−１３ビットに割当てられた予約ビット値が「００」であれば、ビーコンフレームのペイロードフィールドにコーディネータ再整列コマンドが含まれていないことを意味し、「０１」であれば、ビーコンフレームのペイロードにチャネル変更のためのコーディネータ再整列コマンドが挿入されたことを意味する。
【００３２】
一方、予約ビット値が「１１」であれば、ビーコンフレームのペイロードにＰＡＮ  ＩＤ変更のためのコーディネータ再整列コマンドが挿入されたことを意味する。係るビーコンフレームを受信したデバイスは、ビーコンフレームに挿入された識別ビット及びコーディネータ再整列コマンドを参照し、チャネルやＰＡＮ  ＩＤを変更することができる。一方、ＩＥＥＥ８０２.１５.４標準仕様によると、２７チャネルが使用されているので５ビットでチャネル表示が可能であり、かつＰＡＮ  ＩＤの場合には１６ビットを用いて表示できる。
【００３３】
図８は本発明に係る無線ネットワークのブロードキャスト方法を説明するための図である。同図を参照すると、コーディネータ１００はデバイス２００がＲＸ＿ＯＮされデータを受信できる状態でビーコンフレームをブロードキャストする。同図で示されている点線の領域がそれに当該する。従って、全デバイスがデータを受信できる状態であるビーコンフレームの受信時間にビーコンフレームにチャネルやＰＡＮ  ＩＤ変更情報を挿入して伝送することにより、リンクされた全てのデバイスについてこのような変更情報の受信を保障することができる。
【００３４】
以上、図面を参照して本発明の好適な実施形態を図示および説明してきたが本発明の保護範囲は、前記の実施形態に限定するものではなく、特許請求の範囲に記載された発明とその均等物にまで及ぶものである。
【００３５】
本発明はＩＥＥＥ８０２.１５.４標準仕様に基づいてＷＰＡＮにリンクされたデバイスがブロードキャストされる情報の受信を保障できるようにした無線ネットワークにおけるブロードキャスト方法及びその方法を使用する通信システムに用いられる。
【図面の簡単な説明】
【００３６】
【図１】一般のＷＰＡＮの構成を示した図である。
【図２】隣接した２つのＷＰＡＮで通信エリアが重なり合うことを示した図である。
【図３】コーディネータ再整列コマンドの構成を示した図である。
【図４】本発明に係るブロードキャスト方法を使用する通信システムの概略的なブロック図である。
【図５】本発明に係るブロードキャスト方法を使用する通信システムの概略的なブロック図である。
【図６】本発明に係るブロードキャスト方法を説明するための流れ図である。
【図７】本発明に係るブロードキャスト方法で使用されるビーコンフレームの構造を示した図である。
【図８】本発明に係るブロードキャスト方法を説明するための図である。
【符号の説明】
【００３７】
１００      コーディネータ
１１０      送受信部
１２０      チャネル状態通知部
１３０      チャネル選択管理部
１４０      ＰＡＮ  ＩＤ変更通知部
１５０      ビーコンフレーム生成部
２００      デバイス
２１０      送受信部
２２０      ビーコンフレーム解釈部
２３０      チャネル変更部
２４０      ＰＡＮ  ＩＤ変更部
【図１】
2005136984.tif 000003
【図２】
2005136984.tif 000004
【図３】
2005136984.tif 000005
【図４】
2005136984.tif 000006
【図５】
2005136984.tif 000007
【図６】
2005136984.tif 000008
【図７】
2005136984.tif 000009
【図８】
2005136984.tif 000010